(57)【特許請求の範囲】
【請求項１】
第１の電子チューナ部と第２の電子チューナ部とから成り、前記第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、前記第１の局部発振回路にループ接続された第１のＰＬＬ回路と、前記分配器の他方の出力が供給される高周波信号の出力とから成り、前記第２の電子チューナ部は、前記高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、前記第２の局部発振回路にループ接続された第２のＰＬＬ回路から成り、これら第１の電子チューナ部と第２の電子チューナ部の回路を同一のプリント基板に装着すると共にこのプリント基板を略四角形をした１個の金属製のケースに収納し、このケースの一方の側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを有した電子チューナにおいて、前記第１の電子チューナ部の前記高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択される電子チューナ。
【請求項２】
第１の電子チューナ部と第２の電子チューナ部とから成り、前記第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、前記第１の局部発振回路にループ接続された第１のＰＬＬ回路と、前記分配器の他方の出力が供給される高周波信号の出力とから成り、前記第２の電子チューナ部は、前記高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、前記第２の局部発振回路にループ接続された第２のＰＬＬ回路から成り、これら第１の電子チューナ部と第２の電子チューナ部の回路を同一のプリント基板に装着すると共にこのプリント基板を略四角形をした１個の金属製のケースに収納し、このケースの一方の側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを有した電子チューナにおいて、前記ケースは親プリント基板に対して伏型装着し、前記第１の電子チューナ部の前記高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択される電子チューナ。
【請求項３】
第１の電子チューナ部と第２の電子チューナ部とから成り、前記第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、前記第１の局部発振回路にループ接続された第１のＰＬＬ回路と、前記分配器の他方の出力が供給される高周波信号の出力とから成り、前記第２の電子チューナ部は、前記高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、前記第２の局部発振回路にループ接続された第２のＰＬＬ回路から成り、これら第１の電子チューナ部と第２の電子チューナ部の回路を同一のプリント基板に装着すると共にこのプリント基板を略四角形をした１個の金属製のケースに収納し、このケースの側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを有した電子チューナにおいて、前記第１の電子チューナ部の前記高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択され、前記プリント基板は、親プリント基板に対してリフロー半田可能な面実装基板とした電子チューナ。
【発明の詳細な説明】
【０００１】
【発明の属する技術分野】
本発明は、テレビジョン放送波を受信して一方の放送波をブラウン管上に映し出すと共に他方の放送波を同時にビデオテープレコーダに録画するビデオテープレコーダ付テレビジョン受像機や、２画面テレビジョン受像機等に代表される複数のテレビジョン放送波を同時に受信する複数放送波の受信装置等に使用される電子チューナに関するものである。
【０００２】
【従来の技術】
以下、従来の複数放送波の受信装置について説明する。従来の複数放送波の受信装置は、図８に示すように、親プリント基板１に装着された電子チューナ２と、この電子チューナ２の出力に接続された受信処理部３と、電子チューナ４と、この電子チューナ４の出力に接続された受信処理部５とで構成されていた。
【０００３】
そして、電子チューナ２は、高周波信号が入力される入力端子６と、この入力端子６に共通端子が接続されるとともに２つの分配出力を有する分配器と、この分配器の一方の出力が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記分配器の他方の出力が供給される高周波信号の出力端子７と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから構成されていた。
【０００４】
一方、電子チューナ４は、高周波信号が入力される入力端子８と、この入力端子８に入力された信号が供給される高周波増幅回路と、この高周波増幅回路の出力が一方の入力に供給されるとともに他方の入力には局部発振回路の出力が供給される混合回路と、この混合回路の出力が供給される中間周波数増幅回路と、この中間周波数増幅回路の出力が供給される中間周波数の出力端子と、前記局部発振回路にループ接続されたＰＬＬ回路と、このＰＬＬ回路にデータを入力するデータ入力端子と、これらの回路に電源を供給する電源端子と、これらの回路をプリント基板に装着すると共にこのプリント基板を収納する略四角形をした金属製のケースとから構成されていた。
【０００５】
そして、電子チューナ２のケースの縦側面に入力端子６を設け、この縦側面に隣接する上方の横側面に高周波信号の出力端子７を設け、下方の横側面にそれぞれ同一形状をした前記データ入力端子と、前記電源端子と、前記中間周波数の出力端子とを設けていた。
【０００６】
また、電子チューナ４は縦側面に入力端子８を設け、その下方の横側面にそれぞれ同一形状をした電子チューナ４の前記データ入力端子と、前記電源端子と、前記中間周波数の出力端子とを設けていた。
【０００７】
そして、電子チューナ２の下方の横側面に設けられた端子と電子チューナ４の下方の横側面に設けられた端子は親プリント基板１に直接半田付けされていた。
【０００８】
また、電子チューナ２の高周波信号の出力端子７と電子チューナ４の入力端子８とはフォノコネクタ付きのケーブル９で接続されていた。
【０００９】
以上のように構成された複数放送波の同時受信装置において、例えばビデオテープレコーダ付テレビジョン受信機においては、電子チューナ２であるチャンネルを受信してその出力をブラウン管（受信処理部３）に映し出すと共に、電子チューナ４で他のチャンネルを受信して、その出力をテープレコーダ（受信処理部５）に録画するものである。
【００１０】
【発明が解決しようとする課題】
しかしながらこのような従来の構成の電子チューナでは、親プリント基板１に電子チューナ２と電子チューナ４の２つの電子チューナを装着する必要があった。また、この２つの電子チューナ２，４を装着した後に、電子チューナ２の高周波の出力端子７と電子チューナ４の入力端子８との間をケーブル９で接続しなければならなかった。このように２つの電子チューナ２，４を装着することは、受信装置そのものがどうしても大型化してしまうという問題があった。また、電子チューナ２と電子チューナ４とをケーブルで接続する作業は別工程であると共に手作業を行わなければならず、工数がかかり大変であった。
【００１１】
そこで本発明は、この問題を解決したもので、電子チューナの小型化を図るとともに受信装置におけるケーブル接続の別工程を不要とした電子チューナを提供することを目的としたものである。
【００１２】
【課題を解決するための手段】
この目的を達成するために本発明の電子チューナは、第１の電子チューナ部と第２の電子チューナ部とから成り、これら第１の電子チューナ部と第２の電子チューナ部を同一のプリント基板に装着すると共にこのプリント基板を略四角形をした１個の金属製のケースに収納し、このケースの一方の側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを設けた電子チューナにおいて、前記第１の電子チューナ部の高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択されるものである。
【００１３】
これにより、電子チューナの小型化を図ると共に受信装置でのケーブルを装着するための別工程が不要となる。また、データ入力端子を共用化しているので、端子の数が少なくて良い。また、端子の数が少ないので、小型化と低価格化が実現できる。
【００１４】
【発明の実施の形態】
本発明の請求項１に記載の発明は、第１の電子チューナ部と第２の電子チューナ部とから成り、前記第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、前記第１の局部発振回路にループ接続された第１のＰＬＬ回路と、前記分配器の他方の出力が供給される高周波信号の出力とから成り、前記第２の電子チューナ部は、前記高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、前記第２の局部発振回路にループ接続された第２のＰＬＬ回路から成り、これら第１の電子チューナ部と第２の電子チューナ部の回路を同一のプリント基板に装着すると共にこのプリント基板を略四角形をした１個の金属製のケースに収納し、このケースの一方の側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを有した電子チューナにおいて、前記第１の電子チューナ部の前記高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択される電子チューナであり、電子チューナは一つのケースに実装されているので、小型化が図れると共に管理コストが低減する。また、第１の電子チューナ部の高周波出力と第２の電子チューナ部の入力とはプリント基板内でパターン接続されるので、受信装置としての工数の削減ができる。なお、データ入力端子を共用化しているので、端子の数が少なくて良い。また、端子の数が少ないので、小型化と低価格化が実現できる。
【００１５】
また、ケーブルを用いることなくプリント基板内で直接半田付け接続されているので、接触不良によるトラブルが生じないと共に振動に対する信頼性が高くなる。
【００１６】
更に、入力端子として大形状のコネクタを用いることなく、他のデータ入力端子や電源端子や出力端子と同一形状の端子を使用するので、電子チューナの薄型化が図れる。
【００１７】
更にまた、大型のコネクタが不要であるので、軽量化と低価格化が図れる。
【００２１】
請求項２に記載の発明は、第１の電子チューナ部と第２の電子チューナ部とから成り、前記第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、前記第１の局部発振回路にループ接続された第１のＰＬＬ回路と、前記分配器の他方の出力が供給される高周波信号の出力とから成り、前記第２の電子チューナ部は、前記高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、前記第２の局部発振回路にループ接続された第２のＰＬＬ回路から成り、これら第１の電子チューナ部と第２の電子チューナ部の回路を同一のプリント基板に装着すると共にこのプリント基板を略四角形をした１個の金属製のケースに収納し、このケースの一方の側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを有した電子チューナにおいて、前記ケースは親プリント基板に対して伏型装着し、前記第１の電子チューナ部の前記高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択される電子チューナであり、電子部品を実装した後の親プリント基板の厚みを薄くすることができる。
【００２２】
請求項３に記載の発明は、第１の電子チューナ部と第２の電子チューナ部とから成り、前記第１の電子チューナ部は、高周波信号が入力される入力端子と、この入力端子に共通端子が接続されるとともに２つの分配出力を有する分配器と、この分配器の一方の出力が供給される第１の高周波増幅回路と、この第１の高周波増幅回路の出力が一方の入力に供給されるとともに他方の入力には第１の局部発振回路の出力が供給される第１の混合回路と、この第１の混合回路の出力が供給される第１の中間周波数増幅回路と、この第１の中間周波数増幅回路の出力が供給される第１の中間周波数の出力端子と、前記第１の局部発振回路にループ接続された第１のＰＬＬ回路と、前記分配器の他方の出力が供給される高周波信号の出力とから成り、前記第２の電子チューナ部は、前記高周波信号が入力される入力と、この入力された信号が供給される第２の高周波増幅回路と、この第２の高周波増幅回路の出力が一方の入力に供給されるとともに他方の入力には第２の局部発振回路の出力が供給される第２の混合回路と、この第２の混合回路の出力が供給される第２の中間周波数増幅回路と、この第２の中間周波数増幅回路の出力が供給される第２の中間周波数の出力端子と、前記第２の局部発振回路にループ接続された第２のＰＬＬ回路から成り、これら第１の電子チューナ部と第２の電子チューナ部の回路を同一のプリント基板に装着すると共にこのプリント基板を略四角形をした１個の金属製のケースに収納し、このケースの側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを有した電子チューナにおいて、前記第１の電子チューナ部の前記高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択され、前記プリント基板は、親プリント基板に対してリフロー半田可能な面実装基板とした電子チューナであり、リフロー半田付けができるので、半田付け品質の良い電子チューナが実現できる。
【００２５】
以下、図面に従って本発明の実施の形態を説明する。
（実施の形態１）
図２は、実施の形態１における本発明の電子チューナを用いた受信装置の斜視図であり、図１は電子チューナの回路図である。すなわち、４５は電子チューナであり、この電子チューナ４５内に二つの電子チューナ部が内蔵されている。４６は電子チューナ４５の出力に接続された受信処理部であり、電子チューナ４５と受信処理部４６とは親プリント基板４７に装着されて受信装置を構成している。
【００２６】
そして、この電子チューナ４５の内、図１に示すように、第１の電子チューナ部は、高周波信号が入力される入力端子１１と、この入力端子１１に共通端子が接続されるとともに２つの分配出力を有する分配器１２と、この分配器１２の一方の出力が供給される高周波増幅回路１３と、この高周波増幅回路１３の出力が一方の入力に供給されるとともに他方の入力には局部発振回路１４の出力が供給される混合回路１５と、この混合回路１５の出力が供給される中間周波数増幅回路１６と、この中間周波数増幅回路１６の出力が供給される中間周波数の出力端子１７と、分配器１２の他方の出力が供給される高周波信号の出力１９と、前記局部発振回路１４にループ接続されたＰＬＬ回路２７から構成されている。
【００２７】
一方、第２の電子チューナ部は、高周波信号が入力される入力２０と、この入力２０に入力された信号が供給される高周波増幅回路２１と、この高周波増幅回路２１の出力が一方の入力に供給されるとともに他方の入力には局部発振回路２２の出力が供給される混合回路２３と、この混合回路２３の出力が供給される中間周波数増幅回路２４と、この中間周波数増幅回路２４の出力が供給される中間周波数の出力端子２５と、局部発振回路２２にループ接続されたＰＬＬ回路２６とで構成されている。
【００２８】
そして、第１の電子チューナ部と第２の電子チューナ部の共通回路として、ＰＬＬ回路２６と２７にデータを入力するデータ入力端子２８を設けており、このデータ入力端子２８は、それぞれゲート回路２９と３０を介してＰＬＬ回路２６と２７に接続されている。このゲート回路２９と３０はゲート選択端子３１から入力されるゲート選択信号により、どちらかのゲートが選択されるようになっている。このことにより、データ信号（データ信号、クロック信号、イネーブル信号）の端子の数を半分にすることができる。また、３２は電源端子（５Ｖ，９Ｖ，３０Ｖ）であるが、これらの電源も第１のチューナ部と第２のチューナ部の電源を共用している。従って、電源端子も半分にすることができる。また、３３は水晶発振子であり、発振回路３４を介してＰＬＬ回路２６と２７の基準周波数入力に接続されている。従って、水晶発振子３３も１つで良いことになる。
【００２９】
そして、これら第１の電子チューナ部と第２の電子チューナ部の回路を同一のプリント基板（図示せず）に装着している。そして、このプリント基板は図２に示すように略四角形をした１個の金属製のケース４８に収納されている。また、このケース４８の下方の横側面にそれぞれ同一形状をした第１の電子チューナ部の入力端子１１と、中間周波数の出力端子１７と、第２の電子チューナ部の中間周波数の出力端子２５とを設け、これらの端子は親プリント基板４７に直接半田付けされている。また、第１の電子チューナ部の高周波信号の出力１９と第２の電子チューナ部の入力２０とはプリント基板内でパターン接続されている。
【００３０】
従って、第１の電子チューナ部の高周波信号の出力１９と第２の電子チューナ部の入力２０とはプリント基板内でパターン接続されているので、この電子チューナを用いれば、従来のように高周波コネクタを装着したケーブルを別工程で装着する必要はない。
【００３１】
また、電子チューナ４５は一つのケース４８に実装されているので、小型化が図れると共に管理コストが低減する。
【００３２】
更に、従来の２つの電子チューナを用いるものと比べると、そのケーブルを用いることなくプリント基板内で直接半田付け接続されているので振動に対する信頼性が高い。
【００３３】
更にまた、入力端子１１として大形状のコネクタを用いることなく、他のデータ入力端子２８や電源端子３２や出力端子１７や２５と同一形状の端子を使用するので、電子チューナの薄型化が図れる。また、大型のコネクタが不要であるので、軽量化と低価格化が図れる。
【００３４】
また、電子チューナ４５は共に親プリント基板４７に対して縦型に装着しているので、親プリント基板４７の実装密度が向上する。なお、電子チューナ４５の下方の横側面に隣接する両縦側面４３を延在して（図３、図４参照）親プリント基板に装着する脚４４を設けると、この脚４４が端子の両端を高周波的にシールドすることになり、これらの端子が高周波的に外部から守られることになる。
【００３５】
（実施の形態２）
更に、図３に示すように、第１の電子チューナ部をプリント基板４０の表面に形成すると共に、その裏面に第２の電子チューナ部を形成すれば、一枚のプリント基板４０の両面にそれぞれの電子チューナ部を装着するので、電子チューナの小型化を図ることができる。
【００３６】
なお、このプリント基板４０は多層基板を使用し、その内層にグランドプレーン４１を設けて第１の電子チューナ部と第２の電子チューナ部とを高周波的に分離することが重要である。
【００３７】
（実施の形態３）
更にまた、図４に示すように、第１の電子チューナ部と第２の電子チューナ部をプリント基板の表面に形成すると共に、第１の電子チューナ部と第２の電子チューナ部との間に金属製の仕切板４２を設けると、第１の電子チューナと第２の電子チューナとは仕切板４２で仕切られるので、お互いの影響を少なくすることができる。
【００３８】
（実施の形態４）
図５は、実施の形態４による電子チューナであり、５０はそのケースである。電気回路に関しては実施の形態１の図１と同様である。これらの回路はプリント基板（図示せず）に装着され、図５に示すように金属製のケース５０に収納されている。このケース５０は略長方形のフレーム（枠体）５１と、このフレーム５１の表と裏にそれぞれ被せられたカバー５２とで構成されている。このフレーム５１から下方に延在させて親プリント基板（図示せず）に装着する４個の脚５４が設けられている。そしてこの一方の脚５４近傍の横側面に入力端子１１が設けられると共に他方の脚５４の近傍に出力端子１７と２５が設けられている。このように配置することにより、入力と出力との間の混信が防げる。そしてこの入力端子１１と出力端子１７との間に電源端子３２やデータ入力端子２８が同一側面上に設けられている。これらの端子は全てリード線タイプのものであり、一括して親プリント基板にディップ半田付けすることができる。
【００３９】
また、これらの端子は下カバー５２に平行して設けられた楕円状のスリット５５と５６から外部へ導出されている。なお、このスリット５５に沿って第１のチューナ部が形成され、スリット５６に沿って第２のチューナ部が形成される。
【００４０】
このように実装された本実施の形態では、電子部品を実装した後の親プリント基板の厚みを薄くすることができる。
【００４１】
（実施の形態５）
図６は、実施の形態５による面実装部品とした電子チューナである。なお、電気回路に関しては実施の形態１の図１と同様である。これらの回路はプリント基板６１に装着されて、図６に示すように金属製のケース６２が被せられている。このプリント基板６１は略正方形をしており、その側面に端子を設けてリフロー半田付けを可能にしている。プリント基板６１の一方の側面には入力端子１１や電源端子３２や出力端子１７が設けられており、他方の側面にはＰＬＬ回路２６，２７のデータ入力端子２８や出力端子２５が設けられている。ここでもやはり入力端子１１と出力端子１７や２５とは対角線上に設け、その距離を離している。
【００４２】
なお、６３は隣接した側面に設けられたグランド端子であり、このグランド端子６３で入力端子１１と出力端子１７や２５とを高周波的に分離している。
【００４３】
このように実装された本実施の形態においては、親プリント基板にリフロー半田付けができる。
【００４４】
（実施の形態６）
図７は、本発明の電子チューナを用いた受信装置として、ビデオテープレコーダ付テレビジョン受像機について説明したものである。すなわち、電子チューナ４５において、１１は高周波信号の入力端子であり、それぞれ第１の電子チューナ部７２と第２の電子チューナ部７３とからなる。ここで第１の電子チューナ部７２と第２の電子チューナ部７３はプリント基板上でパターン配線７４で接続されている。従って、そのための接続ケーブルは必要ない。また、その取り付け工数も不要となる。
【００４５】
また、第１の電子チューナ部７２の出力端子１７は第１の信号処理部７５に接続されており、第２の電子チューナ部７３の出力端子２５は第２の信号処理部７６に接続されている。すなわち、第１の電子チューナ部７２の出力端子１７はＶ１Ｆ回路７７に接続され、その出力はビデオとテレビの切替回路７８の一方の端子に接続されている。この切替回路７８の出力は映像信号生成回路７９を介してブラウン管８０に接続される。一方第２の電子チューナ部７３の出力端子２５はＶ１Ｆ回路８１に接続され、その出力はビデオテープレコーダのメカ８２に接続されている。そして、切替回路７８がＡ方向に切り替えられていれば、第１の電子チューナ７２で選局したテレビジョン放送をブラウン管８０で観賞すると共に、電子チューナ７３で選局したテレビジョン放送をビデオテープレコーダのメカ８２に同時に録画することができる。
【００４６】
【発明の効果】
以上のように本発明によれば、第１の電子チューナ部と第２の電子チューナ部とから成り、これら第１の電子チューナ部と第２の電子チューナ部を同一のプリント基板に装着すると共にこのプリント基板を略四角形をした１個の金属製のケースに収納し、このケースの一方の側面にそれぞれ同一形状をした前記第１の電子チューナ部の入力端子と、前記中間周波数の出力端子と、前記第２の電子チューナ部の中間周波数の出力端子と、これらの回路に電源を供給する電源端子とを設けた電子チューナにおいて、前記第１の電子チューナ部の高周波信号の出力と前記第２の電子チューナ部の入力とは前記プリント基板内でパターン接続されるとともに、前記第１のＰＬＬ回路のデータ入力端子と前記第２のＰＬＬ回路のデータ入力端子とは共通のデータ入力端子とし、このデータ入力端子と前記第１のＰＬＬ回路および、前記第２のＰＬＬ回路との間の夫々に挿入されたゲート回路は、ゲート選択端子に入力されるゲート選択信号によりいずれかのゲートが選択されるものである。従って、電子チューナは一つのケースに実装されているので、小型化が図れると共に管理コストが低減する。また、第１の電子チューナ部の高周波出力と第２の電子チューナ部の入力とはプリント基板内でパターン接続されるので、受信装置としての工数の削減ができる。なお、データ入力端子を共用化しているので、端子の数が少なくても良い。また、端子の数が少ないので、小型化と低価格化が実現できる。
【００４７】
また、ケーブルを用いることなくプリント基板内で直接半田付けされているので、接触不良によるトラブルが生じないと共に振動に対する信頼性が高い。
【００４８】
更に、入力端子として大形状のコネクタを用いることなく、他のデータ入力端子や電源端子や出力端子と同一形状の端子を使用するので、電子チューナの薄型化が図れる。
【００４９】
更にまた、大型のコネクタが不要であるので、軽量化と低価格化が図れる。
【図面の簡単な説明】
【図１】本発明の実施の形態１による電子チューナのブロック図
【図２】同、電子チューナを用いた受信装置の斜視図
【図３】同、実施の形態２における電子チューナの正面図
【図４】同、実施の形態３における電子チューナの側面図
【図５】（ａ）は、実施の形態４における電子チューナの裏面図
（ｂ）は、同、側面図
【図６】（ａ）は、実施の形態５による電子チューナの裏面図
（ｂ）は、同、側面図
【図７】同、実施の形態６による複数放送波の同時受信装置の一例としてのビデオテープレコーダ付テレビジョン受像機のブロック図
【図８】従来の複数放送波の同時受信装置の斜視図
【符号の説明】
１１  入力端子
１２  分配器
１３  高周波増幅回路
１４  局部発振回路
１５  混合回路
１６  中間周波数増幅回路
１７  出力端子
１９  高周波信号の出力
２０  入力
２１  高周波増幅回路
２２  局部発振回路
２３  混合回路
２４  中間周波数増幅回路
２５  出力端子
３２  電源端子
４５  電子チューナ
【図１】
0003695139.tif 000002
【図２】
0003695139.tif 000003
【図３】
0003695139.tif 000004
【図４】
0003695139.tif 000005
【図５】
0003695139.tif 000006
【図６】
0003695139.tif 000007
【図７】
0003695139.tif 000008
【図８】
0003695139.tif 000009